【手続補正書】
【提出日】平成20年10月27日(2008.10.27)
【手続補正１】
【補正対象書類名】特許請求の範囲
【補正対象項目名】全文
【補正方法】変更
【補正の内容】
【特許請求の範囲】
【請求項１】
第１の通信装置と第２の通信装置の間で無線通信手段による通信を行うための制御方法であって、
前記無線通信手段以外の別の通信手段を用いて、前記無線通信手段に設定すべき通信パラメータを通信する際に行われる認証処理のための認証情報を、前記第１の通信装置から前記第２の通信装置へ通知する第１通知工程と、
前記第１の通信装置と前記第２の通信装置との間で前記無線通信手段により無線ネットワークを形成する形成工程と、
前記形成工程において形成された無線ネットワークを介して、前記第１の通信装置と前記第２の通信装置との間で前記認証情報に基づく認証処理を行う認証工程と、
前記認証工程による認証結果に応じて、前記形成された無線ネットワークを介して、前記第１の通信装置と前記第２の通信装置との間で前記通信パラメータを通信する通信工程と、
前記通信工程において通信された前記通信パラメータを前記無線通信手段に設定する設定工程と、
を有することを特徴とする制御方法。
【請求項２】
前記形成工程では、前記通信パラメータとは異なる他の通信パラメータを前記無線通信手段に設定することにより、前記無線ネットワークが形成されることを特徴とする請求項１記載の制御方法。
【請求項３】
前記通信工程において通信された前記通信パラメータの共有の成功を、前記別の通信手段を用いて前記第２の通信装置から前記第１の通信装置へ通知する工程を更に有することを特徴とする請求項１又は２記載の制御方法。
【請求項４】
前記別の通信手段によって前記第１の通信装置と前記第２の通信装置とが接続されたことを検出する検出工程を更に有し、
前記第１通知工程は、前記検出工程による接続の検出により起動されることを特徴とする請求項１から３のいずれか１項に記載の制御方法。
【請求項５】
前記別の通信手段は、有線による直接的な接続形態、或いは近距離無線接続を利用した接続形態のいずれかを採用したものであることを特徴とする請求項１から４のいずれか１項に記載の制御方法。
【請求項６】
前記通信工程では、前記通信パラメータを前記第２の通信装置から前記第１の通信装置へ送信することを特徴とする請求項１から５のいずれか１項に記載の制御方法。
【請求項７】
前記通信工程では、前記通信パラメータを暗号化して送信することを特徴とする請求項６記載の制御方法。
【請求項８】
前記認証情報は、前記第２の通信装置が属するグループを識別するグループ識別情報であり、
前記第２の通信装置に対して前記グループ識別情報を用いて前記通信パラメータを要求してきた他の装置に対して、該通信パラメータを送信する送信工程を更に有することを特徴とする請求項１から７のいずれか１項に記載の制御方法。
【請求項９】
前記送信工程は、所定の制限時間内の間実行されることを特徴とする請求項８記載の制御方法。
【請求項１０】
前記送信工程による、前記通信パラメータの送信先の装置を、前記通信パラメータの共有化に成功した装置として前記第１の通信装置に通知する第２通知工程を更に有することを特徴とする請求項８記載の制御方法。
【請求項１１】
前記第２の通信装置から前記通信パラメータを送信した装置の台数を計数する計数工程を更に備え、
前記送信工程は、前記計数工程による計数結果が予め設定された数値を超えた場合に処理を停止することを特徴とする請求項８に記載の制御方法。
【請求項１２】
前記第２の通信装置に対して前記グループ識別情報を用いて前記通信パラメータを要求してきた他の装置は、自動的にグループ識別情報を生成する手段を有することを特徴とする請求項８に記載の制御方法。
【請求項１３】
外部装置と無線通信を行う無線通信手段と、該無線通信手段とは別の通信手段とを備えた通信装置の制御方法であって、
前記別の通信手段を用いて、前記無線通信手段に設定すべき通信パラメータを通信する際に行われる認証処理のための認証情報を前記外部装置との間で共有する共有工程と、
前記無線通信手段を用いて、前記外部装置との間で無線ネットワークを形成する形成工程と、
前記形成工程において形成された無線ネットワークを介して、前記共有工程において共有された前記認証情報に基づく前記外部装置の認証を行う認証工程と、
前記認証工程による認証結果に応じて、前記形成された無線ネットワークを介して前記通信パラメータを前記外部装置へ送信する第１送信工程と、
前記無線通信手段に対して前記通信パラメータを設定する設定工程と、
を有することを特徴とする制御方法。
【請求項１４】
前記形成工程では、前記通信パラメータとは異なる他の通信パラメータを前記無線通信手段に設定することにより、前記無線ネットワークが形成されることを特徴とする請求項１３記載の制御方法。
【請求項１５】
前記第１送信工程により前記通信パラメータの送信を実行した場合、前記別の通信手段を用いて前記外部装置へ前記通信パラメータの共有化の成功を示す情報を送信する工程を更に有することを特徴とする請求項１３又は１４記載の制御方法。
【請求項１６】
前記別の通信手段によって前記外部装置が接続されたことを検出する検出工程を更に有し、
前記検出工程における接続の検出に応じて、前記共有工程における前記認証情報の共有が行われることを特徴とする請求項１３から１５のいずれか１項に記載の制御方法。
【請求項１７】
前記別の通信手段は、有線による直接的な接続形態、或いは近距離無線接続を利用した接続形態のいずれかを採用したものであることを特徴とする請求項１３から１６のいずれか１項に記載の制御方法。
【請求項１８】
前記第１送信工程は、前記通信パラメータを暗号化して送信することを特徴とする請求項１３から１７のいずれか１項に記載の制御方法。
【請求項１９】
前記認証情報は前記外部装置が属するグループを識別するグループ識別情報であり、
前記グループ識別情報を用いて前記通信パラメータを要求してきた他の装置に対して、該通信パラメータを送信する第２送信工程を更に有することを特徴とする請求項１３から１８のいずれか１項に記載の制御方法。
【請求項２０】
前記第２送信工程は、所定の制限時間内の間実行されることを特徴とする請求項１９記載の制御方法。
【請求項２１】
前記第２送信工程における、前記通信パラメータの送信先の装置を、前記通信パラメータの共有化が成功した装置として前記外部装置に通知する通知工程を更に有することを特徴とする請求項１９記載の制御方法。
【請求項２２】
前記通信装置から前記通信パラメータを送信した装置の台数を計数する計数工程を更に有し、
前記第２送信工程は、前記計数工程による計数結果が予め設定された数値を超えた場合に処理を停止することを特徴とする請求項１９記載の制御方法。
【請求項２３】
外部装置と無線通信を行う無線通信手段と、該無線通信手段とは別の通信手段とを備えた通信装置の制御方法であって、
前記別の通信手段により、前記無線通信手段に設定すべき通信パラメータを通信する際に行われる認証処理のための認証情報を前記外部装置との間で共有する共有工程と、
前記無線通信手段を用いて、前記外部装置との間で無線ネットワークを形成する形成工程と、
前記形成工程において形成された無線ネットワークを介して、前記認証情報を前記外部装置に認証のために送信する送信工程と、
認証が得られた場合、前記通信パラメータを前記形成された無線ネットワークを介して前記外部装置より受信する受信工程と、
前記受信工程において受信した前記通信パラメータを前記無線通信手段に設定する設定工程と、
を有することを特徴とする制御方法。
【請求項２４】
前記形成工程では、前記通信パラメータとは異なる他の通信パラメータを前記無線通信手段に設定することにより、前記無線ネットワークが形成されることを特徴とする請求項２３記載の制御方法。
【請求項２５】
前記受信工程において前記通信パラメータを受信した場合に、前記通信パラメータの共有化の成功を示す表示を行う表示工程を更に有することを特徴とする請求項２３又は２４記載の制御方法。
【請求項２６】
外部装置との前記通信パラメータの共有化の成否を示す情報を前記別の通信手段を介して受信する工程を更に有することを特徴とする請求項２３から２５のいずれか１項に記載の制御方法。
【請求項２７】
第１の通信装置と第２の通信装置の間で無線通信を行う通信システムであって、
前記第１と第２の通信装置の間の無線通信を可能にする無線通信手段と、
前記第１と第２の通信装置の間の通信を可能にする、前記無線通信手段とは別の通信手段と、
前記別の通信手段を用いて、前記第１の通信装置と前記第２の通信装置との間で、前記無線通信手段に設定すべき通信パラメータを通信する際に行われる認証処理のための認証情報を共有する共有手段と、
前記第１及び第２の通信装置間で形成された無線ネットワークを介して、前記認証情報に基づく認証処理を行う認証手段と、
前記認証手段による認証結果に応じて、前記形成された無線ネットワークを介して前記第１の通信装置と前記第２の通信装置との間で前記通信パラメータを通信する通信手段と、を有し、
前記通信手段により通信された前記通信パラメータは、前記第１の通信装置と前記第２の通信装置との間で無線通信を行う際に前記無線通信手段に設定されることを特徴とする通信システム。
【請求項２８】
無線通信を行う無線通信手段と、該無線通信手段とは別の通信手段とを備えた通信装置であって、
前記別の通信手段により、前記無線通信手段に設定すべき通信パラメータを共有する際に行われる認証処理のための認証情報を、外部装置から受信する受信手段と、
前記外部装置との間で無線ネットワークを形成する形成手段と、
前記形成手段により形成された無線ネットワークを介して、前記受信手段により受信した前記認証情報を用いて認証処理を行う認証手段と、
前記認証手段による認証結果に応じて、前記通信パラメータを前記外部装置と共有する共有手段と、を有し、
前記共有手段により共有した前記通信パラメータは、前記外部装置との間で無線通信を行う際に前記無線通信手段に設定されることを特徴とする通信装置。
【請求項２９】
無線通信を行う無線通信手段と、該無線通信手段とは別の通信手段とを備えた通信装置であって、
前記別の通信手段を介して、前記無線通信手段に設定すべき通信パラメータを共有する際に行われる認証処理のための認証情報を、外部装置へ送信する送信手段と、
前記外部装置との間で無線ネットワークを形成する形成手段と、
前記外部装置に認証を行わせるために、前記形成手段により形成された無線ネットワークを介して前記認証情報を送信する認証手段と、
前記認証手段による認証が得られた場合、前記通信パラメータを前記無線ネットワークを介して前記外部装置と共有する共有手段と、を有し、
前記共有手段により共有した前記通信パラメータは、前記外部装置と無線通信を行う際に前記無線通信手段に対して設定されることを特徴とする通信装置。
【請求項３０】
無線通信手段を有する通信装置であって、
前記無線通信手段に設定すべき通信パラメータを通信する際に行われる認証処理のための認証情報を他の通信装置との間で共有するための共有手段と、
前記他の通信装置との間で無線ネットワークを形成する形成手段と、
前記形成手段により形成した無線ネットワークを介して、前記他の通信装置との間で前記認証情報に基づく認証処理を行う認証手段と、
前記認証手段による認証結果に応じて、前記形成した無線ネットワークを介して前記他の通信装置との間で前記通信パラメータを通信する通信手段と、を有し、
前記通信手段により通信された前記通信パラメータは、前記他の通信装置との間で無線通信を行う際に前記無線通信手段に設定されることを特徴とする通信装置。
【請求項３１】
無線通信手段を有する通信装置の制御方法であって、
前記無線通信手段に設定すべき通信パラメータを通信する際に行われる認証処理のための認証情報を他の通信装置との間で共有するための共有工程と、
前記他の通信装置との間で無線ネットワークを形成する形成工程と、
前記形成工程において形成された無線ネットワークを介して、前記他の通信装置との間で前記認証情報に基づく認証処理を行う認証工程と、
前記認証工程における認証結果に応じて、前記形成した無線ネットワークを介して前記他の通信装置との間で前記通信パラメータを通信する通信工程と、を有し、
前記通信工程において通信された前記通信パラメータは、前記他の通信装置との間で無線通信を行う際に前記無線通信手段に設定されることを特徴とする制御方法。
【請求項３２】
請求項１乃至２６、又は請求項３１のいずれか１項に記載の制御方法をコンピュータに実行させるための制御プログラム。
【手続補正２】
【補正対象書類名】明細書
【補正対象項目名】発明の名称
【補正方法】変更
【補正の内容】
【発明の名称】通信装置及びシステムならびにそれらの制御方法
【手続補正３】
【補正対象書類名】明細書
【補正対象項目名】０００９
【補正方法】変更
【補正の内容】
【０００９】
上記の目的を達成するための本発明の一態様による通信制御方法は、
第１の通信装置と第２の通信装置の間で無線通信手段による通信を行うための制御方法であって、
前記無線通信手段以外の別の通信手段を用いて、前記無線通信手段に設定すべき通信パラメータを通信する際に行われる認証処理のための認証情報を、前記第１の通信装置から前記第２の通信装置へ通知する第１通知工程と、
前記第１の通信装置と前記第２の通信装置との間で前記無線通信手段により無線ネットワークを形成する形成工程と、
前記形成工程において形成された無線ネットワークを介して、前記第１の通信装置と第２の通信装置との間で前記認証情報に基づく認証処理を行う認証工程と、
前記認証工程による認証結果に応じて、前記形成された無線ネットワークを介して、前記第１の通信装置と前記第２の通信装置との間で前記通信パラメータを通信する通信工程と、
前記通信工程において通信された前記通信パラメータを前記無線通信手段に設定する設定工程とを有する。
。
【手続補正４】
【補正対象書類名】明細書
【補正対象項目名】００１０
【補正方法】削除
【補正の内容】